(57)【要約】【課題】この発明は、一般廃棄物及び産業廃棄物最終処分場の建設及び廃棄物を埋め立てる方法に関するものであり、従来の処分場が抱えている処分場及び処分場周辺環境の悪化や廃棄物の安定化に長期間要すること、これに伴う地域住民との合意形成が困難になっている状況、又被覆型処分場における高コストの問題等を払拭するものである。【解決手段】側壁をＨ鋼親杭横矢板土留め方式による連続地下壁で構築し、側壁天端全体に鉄筋コンクリート製の地中梁を築造し、これを基礎として上屋建物が建造された無機系廃棄物専用の被覆型（管理型）最終処分場に無機系廃棄物を土質改良機などで一定割合のセメントを混練し、転圧しながら埋立て、処分場内に廃棄物による軽量コンクリート層を構築する。【選択図】図２
2005081344.tif 000002
【特許請求の範囲】
【請求項１】
側壁をＨ鋼親杭横矢板土留方式による連続地下壁で構築し、側壁天端全体に鉄筋コンクリート製の地中梁を築造し、これを基礎として上屋建物が建造された無機系廃棄物専用の被覆型（管理型）最終処分場（図２）。
【請求項２】
請求項１で築造された処分場に無機系廃棄物をセメント混練プラントを持つ中間処理施設又は処分場内の土質改良機で一定割合のセメントを混練し、転圧しながら埋め立て、処分場内に廃棄物による軽量コンクリート層を構築する方法。
【請求項３】
廃棄物処分場の埋立て区画槽を複数区画設置する場合の隣り合った区画槽の側壁をタイバー，タイロット及び鉄筋コンクリート製地中梁などで連結し、一体とした側壁構造（図３）。
【請求項４】
埋立て完了した区画の隣に新たな区画を築造する場合の隣接する側壁を新たに築造せず、埋立て完了した区画の側壁を共有使用するため、予め廃棄物を埋め立てる際に共有する側壁を内側よりダイバー，タイロッド，控え杭などで補強する方法（図４）。
【発明の詳細な説明】
【発明の詳細な説明】
【技術分野】
【０００１】  この発明は、一般廃棄物及び産業廃棄物の最終処分場の建設及び処分場に廃棄物を埋め立てる方法に関するものである
【背景技術】
【０００２】  従来のオープン型処分場は埋め立てた廃棄物を降雨により好気性分解、嫌気性分解を促し、また重金属等を水溶化、洗い出し等によりガス化したり浸出水を流出させ、これを水処理施設で処理し、有害物、汚染物を一定の基準値以下にして河川へ放流する。これを埋立て完了後も長期に渡り繰り返すことにより安定化を図るものである。従って埋立て完了後も非常に長期間処分場の管理が必要であり、この間水処理施設を稼動させなければならない。又降雨による影響を直接受けるため非常に大きな水処理施設が必要であり、特に近年浸出水を貯留する施設もその地域の雨量に応じた大きな容量の施設が必要となっている。更に、埋立て方法は廃棄物をそのまま埋め立てるため、廃棄物の飛散、悪臭の発生、蝿や蚊、ネズミなどの発生を起こすことがある。これを防止するために即日覆土（厚さ２０ｃｍ〜３０ｃｍ）をする必要があり、これにより処分場の廃棄物埋立て容量が２０〜３０％減少することとなる。近年一般廃棄物最終処分場で採用されつつある被覆型処分場も安定化を図るシステムは降雨に変わり人工的な散水を行うこと意外は従来型と同じであり、水処理施設が殆どの場合必要であり、建設コストが非常に高く、民間レベルでの導入は不可能である。
【発明が解決しようとする課題】
【０００３】  現在民間業者が事業として新たな廃棄物最終処分場を設置することは、地域住民との合意形成が極めて難しいことから殆ど不可能となっており、産業廃棄物の最終処分場の残容量はきわめて逼迫している。従って地域住民との合意形成が可能でまた事業として成り立つ廃棄物処分場のシステム構築が急務であることはいうまでも無い。このことから当発明は比較的大容量で、建設コストが安く、安全性の高い被覆型（管理型）最終処分場を建設するためになされたものである。
【課題を解決するための手段】
【０００４】１．  建設コストを下げる構造とする。
（１）埋立て区画を必要な全容量に応じて複数区画設置する（図１）。
（２）一度に全ての区画を施工する必要は無く、順次埋め立て完了までに次の区画を施工するものとし、上屋（屋根）は移設して再使用する。
（３）このため上屋構造は組み立て、解体がしやすい鉄骨構造とする。
（４）側壁は容量を確保するため垂直とし、構造はＨ鋼親杭横矢板土留め工法（符号６）とし、連続地下壁を構築する。
（５）構築された連続地下壁の天端に鉄筋コンクリート製の地中梁（符号１）を築造し、上屋建物の基礎とする。
（６）隣り合った区画の側壁をタイバー、タイロッド、及び鉄筋コンクリート地中梁で連結し一体とした側壁構造とする（図３）。
（７）埋立て完了した区画の隣の区画は埋立て完了した区画の側壁を共有使用することとし、予め先に埋め立てる区画の共有する側壁を内側からタイバー、タイロッド、控え杭などで補強する（図４）。
２．  埋め立てる廃棄物の種類
この処分場に埋め立てる廃棄物は無機系の廃棄物のみとし、埋め立てた後腐敗せず、且つ保有水を生じない一般廃棄物及び産業廃棄物とする。
３．  廃棄物を埋め立てる方法
廃棄物に一定割合のセメントを混合し、一種の生コンクリート状態にして埋め立てて、十分に転圧する。混合の方法はセメント混練り施設がある中間処理場で予め混練りした後搬入する方法、または処分場の中に移動式土質改良機を設置し、混練りを行う。セメントの混合割合は廃棄物の種類によって変えるものとし、重量比５％〜２０％とする。側壁付近はこれを防護するため高強度の得られやすい廃棄物に１０％以上のセメントを混合し、先行して埋め立てる。一日の埋立て作業の中で最終に埋め立てる層についても同様とし、後日ダンプトラックでの直接搬入に十分耐えられるようにする。一日の中間部分での埋立ては経済性を考慮し、セメントの混合割合は５％〜１０％程度とする。これを繰り返すことにより軽量コンクリート層を構築する。
４．  廃棄物埋立管理
この処分場は無機系の廃棄物をセメント混練して、転圧しながら埋め立てることにより埋立てから約一週間でコンクリートを打設したときと同じような強度及び状態が得られる。これを繰り返すことにより、軽量コンクリート層が構築され廃棄物の安定化が完了する。したがって廃棄物を安定させるための散水は一切行わない。このことにより浸出水の発生が無いのでこれらを処理するための水処理施設は設置しない。
５．  上屋の移動
埋立て完了した区画は直ちに天端のキャッピング（遮水シート、又はアスファルトコンクリートなどで覆う）を行い、廃棄物の温度測定、ガス発生確認施設の設置を行った後、上屋を移動する。上屋の移動が完了した区画は速やかに覆土を行う。
【発明を実施するための最良の形態】
【０００５】ここで２４万立方米規模の被覆型（管理型）廃棄物最終処分場の建設計画について述べる。この規模での被覆型（管理型）廃棄物最終処分場はまだ建設実績が全く無い。
１．平面計画
巾３０ｍ長さ１００ｍ平均深さ１４ｍの区画層を全体で６区画建設する。（図面１）
２．建設工程
当初は第１区画と第２区画を建設する。これは廃棄物受け入れの継続性が重要であるからである。１区画のみ建設した場合は、埋立て完了し次の区画に移動する間廃棄物の受け入れを中止しなければならない。移動は曳き家方式、解体移動組み立て方式いずれも最低３ヶ月位が必要であり、６区画建設する場合は約１５ヶ月のブランクができる。廃棄物は継続的に発生しており、特に一般廃棄物の受け入れについては継続性は最も重要なことである。次に埋立てが完了した第１区画のキャッピング（上屋を外す為雨が浸透しないように側面及び底面と同様に表面を遮水シート又はアスファルトコンクリートなどで覆工する）を行い、上屋を曳き家方式もしくは解体移動組み立て方式で第３区画に移設する。次に第２区画も埋立て完了後同様に第４区画へ移設する。このように順次第３区画から第５区画へ、第４区画から第６区画へと上屋を移設し、使用する。このとき各区画槽は移設に合わせて建設するものとし、最初から全ての区画の建設を行う必要は無い。又埋立て移設が完了した区画から順次計画に従って跡地利用が可能である。
３．側壁及び天端構造
隣り合った第１、第２区画及び第３、第４区画の側壁はタイロッド及び鉄筋コンクリート製地中梁で一体構造とする（図３）。第２区画の第５区画側の側壁及び第４区画の第６区画側の側壁は第５、第６区画の側壁と共有使用するため、第２、第４区画の廃棄物埋立て時に予めタイバー及び控え杭で補強を行う（図４）。それぞれの側壁天端は鉄筋コンクリート製の地中梁を構築し、上屋建物の基礎とする（図１）。
４．廃棄物の埋立て方法
受け入れる廃棄物は無機系の廃棄物のみとし、埋め立ててから腐敗せず、且つ保有水を生じないものとする。この廃棄物に埋立て区画内に設置した移動式土質改良機で重量比５％〜２０％のセメントを混練して、バックホウ又はブルドーザーで敷き均らし、マカダムローラーで転圧しながら埋立てを行う。この方法で埋め立てることによりコンクリートと同様に７日目の強度（σ７）で１５Ｎ／ｍｍ２程度の強度を得ることが出来、比重は１．３トン／ｍ３〜１．６ｔ／ｍ３と軽いため、軽量コンクリート層の構築が出来る。これは、コンクリートはもとより土の比重より軽く、埋立て区画槽下の基礎地盤に与える負荷が極めて小さい、なおかつ埋立て完了後の跡地利用は強固な地盤が構築されており、幅広い用途に対応できる。
【発明による効果】
【０００６】  当工法により安全で経済的な廃棄物最終処分場を構築することが出来る。従来の処分場は降雨または散水により有機性の廃棄物は好気性分解、又は嫌気性分解を促進させ、無機性の廃棄物は洗い出しにより有害物を除去し安定化させる方式であり、これは浸出水やガスなどの発生を伴い、また安定化完了までに埋立て完了から２０年〜３０年かかるといわれている。従ってこの間水処理施設などの稼動が必要である。最近一般廃棄物の処分場で採用されているクローズドシステム（被覆型）処分場に於いても埋立てシステムは同じであり、散水をコントロールできることから廃棄物に応じた管理をすることが出来るが、安定化までに１０〜１５年は必要であり、建設コストが高く、又閉鎖的空間であるため作業環境の悪化が常に懸念される。当工法はこれらを払拭した新しい工法であり、以下当工法による効果を述べる。
１．  当工法は降雨の影響が全く無く、また散水を行わないことから浸出水が無く、従って水処理施設は設置しなくてよい。
２．  全ての廃棄物をセメント混練して埋め立てるため、埋め立ててから１週間程度でコンクリートと同様の強度が得られ、安定化する。
３．  廃棄物埋立て後、すぐ安定化が図れるため、埋立て完了後の上屋の設置期間が短い。
４．  廃棄物の種類、又埋め立てる位置により加えるセメント量を調整管理することが出来る。
５．  無機系廃棄物をセメント混練して埋め立てるため、埋立て後の腐敗、ガス化などが無く、安全な作業環境が得られる。
６．  一般の処分場は遮水シートの性能、安全性が常に問題となり、浸出水の漏水が懸念されるが、当工法は散水を行わないため、浸出水が無く、漏水は全く無い。
７．  当工法は地中埋立て方式又は半地中埋立て方式であり、埋立てが進むほど安全性が高まる工法である。埋立て完了後は地中に軽量コンクリート層が構築されるため、地震、地滑りなどに対しても非常に強い地盤が得られる。
８．  被覆型処分場のネックとなっている建設コストを、上屋建物を移設し、繰り返し使用すること、側壁構造をＨ鋼親杭横矢板土留め方式とし、又埋立て区画層を複数設置し、側壁を共有使用することにより大幅なコストダウンを図ることが出来る。
９．  埋立て区画槽を複数設置する場合、全区画槽を一度に建設する必要は無く、一区画ないし二区画を建設し、埋立て完了して上屋を移設するまでに次の区画槽を建設すればよい。従って初期投資が少なくて済む。
以上当工法による具体的な効果を述べたが、一番大きな効果は、当工法の採用により処分場設置に対する地域住民との合意形成も可能となり、又今後最終処分場で処分される廃棄物の８０％以上が無機系の廃棄物であり、安全で経済的な大型処分場の建設が可能となることから、逼迫している廃棄物最終処分場問題の解決が図れることである。
【図面の簡単な説明】
【図１】平面図
【図２】断面図
【図３】詳細断面図（Ａ−Ａ断面）
【図４】詳細断面図（Ｂ−Ｂ断面）
【符号の説明】
１は地中梁
２は上屋（移設済み）
３は上屋
４は通路
５は遮水シート
６はＨ鋼及び横矢板
７はタイロット又はタイバー
８は腹起こし（Ｈ鋼）
９は覆土
１０は控え杭
【図１】
2005081344.tif 000003
【図２】
2005081344.tif 000004
【図３】
2005081344.tif 000005
【図４】
2005081344.tif 000006